(57)【要約】【課題】コンテンツコピーの際に操作者の意図を反映してメタデータをコピーすることのできる情報処理装置、情報処理方法及びプログラムを提供する。【解決手段】外部装置との間でコンテンツデータの送受信を行う情報処理装置において、第一のコンテンツデータと第一のメタデータを記憶し、上記外部装置内に上記第一のコンテンツデータと同一の第二のコンテンツデータが記憶されているか否かを検出し、上記外部装置内に上記第二のコンテンツデータが記憶されている場合には、上記第二のコンテンツデータに関する第二のメタデータと、上記第一のメタデータとを比較する比較し、上記第一のメタデータと上記第二のメタデータとが異なる場合には、操作者に上記第一のメタデータの変更処理に関する指示を入力させ、上記操作者の指示に基づいて上記第一のメタデータを変更する構成とした。【選択図】図１
2009098733.tif 000002
【特許請求の範囲】
【請求項１】
外部装置との間でコンテンツデータの送受信を行う情報処理装置において、
第一のコンテンツデータを記憶するコンテンツデータ記憶手段と、
上記第一のコンテンツデータに関する第一のメタデータを記憶するメタデータ記憶手段と、
上記外部装置内に、上記第一のコンテンツデータと同一のコンテンツデータである第二のコンテンツデータが記憶されているか否かを検出するコンテンツデータ検出手段と、
上記コンテンツデータ検出手段により、上記外部装置内に上記第二のコンテンツデータが記憶されていることが検出された場合に、上記外部装置に記憶されている上記第二のコンテンツデータに関する第二のメタデータと、上記第一のメタデータとを比較する比較手段と、
上記比較手段の比較結果に基づいて、上記第一のメタデータと上記第二のメタデータとが異なる場合には、操作者に上記第一のメタデータの変更処理に関する指示を入力させる指示入力手段と、
上記指示入力手段で入力された上記操作者の指示に基づいて、上記第一のメタデータを変更するメタデータ変更手段と、
を具備することを特徴とする情報処理装置。
【請求項２】
当該情報処理装置及び上記外部装置は、それぞれの装置内に記憶されたコンテンツデータを管理するためのコンテンツ管理情報を有し、
上記コンテンツデータ検出手段は、当該情報処理装置及び上記外部装置それぞれのコンテンツ管理情報同士を比較することにより上記第二のコンテンツデータがあるか否かを検出することを特徴とする請求項１に記載の情報処理装置。
【請求項３】
上記コンテンツ管理情報は、コンテンツデータを記録及び再生の少なくとも一方を実行するための制御リストであることを特徴とする請求項２に記載の情報処理装置。
【請求項４】
上記第一のメタデータは、当該情報処理装置の上記制御リスト内に記憶されており、上記第二のメタデータは上記外部装置の上記制御リスト内に記憶されていることを特徴とする請求項３に記載の情報処理装置。
【請求項５】
上記メタデータ変更手段は、上記操作者の指示に基づいて、上記第一のメタデータを上記第二のメタデータにより上書きするか、又は、上記第一のメタデータに上記第二のメタデータを追加することを特徴とする請求項１に記載の情報処理装置。
【請求項６】
上記指示入力手段は、
上記比較手段により上記第一のメタデータと上記第二のメタデータとが異なることが検出された場合に、上記第一のメタデータ及び上記第二のメタデータを表示する表示手段と、
使用者に上記第一のメタデータの変更処理の方法を選択入力させる選択手段と、を有することを特徴とする請求項１に記載の情報処理装置。
【請求項７】
コンピュータを、請求項１乃至６に記載の情報処理装置として機能させるための情報処理プログラムであって、上記情報処理プログラムはコンピュータを、請求項１乃至６に記載のコンテンツデータ記憶手段、メタデータ記憶手段、コンテンツデータ検出手段、比較手段、指示入力手段、メタデータ変更手段、表示手段、及び選択手段として機能させることを特徴とする情報処理プログラム。
【請求項８】
外部装置と情報処理装置との間でコンテンツデータの送受信を行う情報処理方法において、
第一のコンテンツデータ、及び上記第一のコンテンツデータに関する第一のメタデータを上記情報処理装置に記憶する手順と、
上記外部装置内に、上記第一のコンテンツデータと同一である第二のコンテンツデータが記憶されているか否かを検出する手順と、
上記第二のコンテンツデータが検出された場合には、上記第一のメタデータと、上記外部装置に記憶されている上記第二のコンテンツデータに関する第二のメタデータとを比較する手順と、
上記第一のメタデータと上記第二のメタデータとが異なる場合には、操作者に上記第一のメタデータの変更処理に関する指示を入力させる手順と、
上記入力された上記操作者の指示に基づいて、上記第一のメタデータを変更する手順と、
を具備することを特徴とする情報処理方法。
【発明の詳細な説明】
【技術分野】
【０００１】
本発明は、制御リストを用いてコンテンツを管理する情報処理装置、情報処理方法及び情報処理プログラムに関する。
【背景技術】
【０００２】
従来、特開２００３−３３３４７２に示されているように、記録媒体内の所定の位置に記録されるコンテンツファイルとは別の所定の位置にそれらコンテンツファイルとは別の制御リストを作成し利用する方法が提案されている。また、これと同様の技術として光ディスクの業界団体ＯＳＴＡが２００２年に定めた標準規格であるＭＰＶという技術が公開されている。これらの文献や技術では、コンテンツファイルのファイル名、ファイルパス、コンテンツ作成日、タイトルなどのそのコンテンツに関する情報（以下、これらの情報をメタデータと呼ぶ）をリスト化し、制御リストファイルにまとめて記述をしている。これにより、コンテンツの検索や管理を容易にし、編集処理の効率化、及び高速処理を可能としている。
【０００３】
さらに従来、特開２００３−２９６１６２に示されているように、記録再生装置間でコンテンツのコピーを行うときにコンテンツのファイル名及びファイルの内容を比較し、その比較結果に応じてコピーを行わなかったり、ファイル名の変更を操作者に求めたり、あるいは操作者に問いかけを行うことなく装置内で一定のルールの下でファイル名を変更している。これにより効率のよいファイル管理を行うことができる。
【特許文献１】特開２００３−３３３４７２号公報
【特許文献２】特開２００３−２９６１６２号公報
【発明の開示】
【発明が解決しようとする課題】
【０００４】
制御リストを用いてコンテンツを管理する情報処理装置としての記録再生装置間でのコピーを行う場合、コピー元とコピー先のコンテンツ同士でファイル名及びファイルの内容が同一であっても、コピー元とコピー先の制御リスト内で記述されているそれらコンテンツに関するメタデータが異なる場合がある。このような状況では、記録再生装置の操作者が知らぬところでメタデータが上書きされたり、逆に操作者の意図に反してメタデータが上書きされないという問題が起こりうる。
【０００５】
本発明は上記事情に鑑みてなされたものであり、コピー先の制御リスト内のコンテンツのメタデータに関する処理についての指示を操作者から受けることができるようにして、コンテンツコピーの際に操作者の意図を反映してメタデータをコピーすることのできる情報処理装置、情報処理方法及びプログラムを提供することを目的としている。
【課題を解決するための手段】
【０００６】
本発明の情報処理装置は、外部装置との間でコンテンツデータの送受信を行う情報処理装置において、第一のコンテンツデータを記憶するコンテンツデータ記憶手段と、上記第一のコンテンツデータに関する第一のメタデータを記憶するメタデータ記憶手段と、上記外部装置内に、上記第一のコンテンツデータと同一のコンテンツデータである第二のコンテンツデータが記憶されているか否かを検出するコンテンツデータ検出手段と、上記コンテンツデータ検出手段により、上記外部装置内に上記第二のコンテンツデータが記憶されていることが検出された場合に、上記外部装置に記憶されている上記第二のコンテンツデータに関する第二のメタデータと、上記第一のメタデータとを比較する比較手段と、上記比較手段の比較結果に基づいて、上記第一のメタデータと上記第二のメタデータとが異なる場合には、操作者に上記第一のメタデータの変更処理に関する指示を入力させる指示入力手段と、上記指示入力手段で入力された上記操作者の指示に基づいて、上記第一のメタデータを変更するメタデータ変更手段と、を具備することを特徴とする。
【発明の効果】
【０００７】
本発明によれば、コピー先の制御リスト内のコンテンツのメタデータに関する処理についての指示を操作者から受けることができる。そのため、メタデータから検索を行う場合にコンテンツを見つけやすくなるとともに、操作者が望む形のメタデータを提供できる。
【発明を実施するための最良の形態】
【０００８】
以下、本発明に係る情報処理装置の実施形態の一例として、主にデジタルスチルカメラを用い、コンテンツデータ（コンテンツ）の一例として主に静止画を用いて説明する。
【０００９】
本発明の実施形態を説明する。  
図１に示すように、本実施形態のデジタルスチルカメラ（以下、ＤＳＣと称する）１０は、ＣＰＵ１１と、操作部１２、ＲＯＭ１３、ＲＡＭ１４、液晶表示部１５、外部Ｉ／Ｆ１６、ファイル管理部１７、画像記録部１８、圧縮伸長エンジン１９、撮像部２０を具備して構成され、ＲＯＭ１３に格納されている制御プログラムに従いＲＡＭ１４を用いてＣＰＵ１１が各種制御を行うようになっている。
【００１０】
第一のコンテンツデータ記憶手段及びメタデータ記憶手段を構成する画像記録部１８は、半導体メモリ、磁気メモリ、磁気ディスク、光ディスク、光磁気ディスク等の記録媒体、あるいはそれらに限らず情報を記録することができる記録媒体であり、また前記記録媒体の組み合わせであってもよい。あるいは、画像記録部１８は単数の記録媒体のみから構成される必要は無く、複数の記録媒体から構成されていても構わない。
【００１１】
画像記録部１８に格納された一ないし複数の画像データや制御リストは、操作部１２を介して伝えられる操作者からの指示に基づき、通信手段である外部Ｉ／Ｆ１６を介して図示しないＰＣ（パーソナルコンピュータ）等の外部記録再生装置（外部装置）に保存されるようになっている。ここで、外部Ｉ／Ｆ１６によるＤＳＣ１０と外部記録再生装置との通信は、例えばＵＳＢ（Ｕｎｉｖｅｒｓａｌ  Ｓｅｒｉａｌ  Ｂｕｓ）、Ｗｉｒｅｌｅｓｓ  ＵＳＢ又は無線ＬＡＮ等の有線又は無線の通信によって行われるものである。
【００１２】
画像記録部１８に格納された一ないし複数の画像データは液晶表示部１５に縮小された状態で表示することができる。なお、液晶表示部１５は、コンテンツを再生可能な表示装置であればよく、液晶ディスプレイに限らず、例えばＥＬ（Ｅｌｅｃｔｒｏ−Ｌｕｍｉｎｅｓｃｅｎｃｅ）ディスプレイや電子ペーパ等の電気泳動装置等の他の方式の表示装置であってもよい。
【００１３】
図２は、ＤＳＣ１０の画像記録部１８に格納された静止画・動画・音声などのコンテンツデータ（以下、コンテンツと称する）及び制御リストファイル（以下、制御リストと称する）４０（第一の制御リスト）からなるフォルダ構成の例である。コンテンツはＤＣＩＭフォルダ以下にＤＣＦ（Ｄｅｓｉｇｎ  ｒｕｌｅ  ｆｏｒ  Ｃａｍｅｒａ  Ｆｉｌｅ  ｓｙｓｔｅｍ）規格に従って格納されている。
【００１４】
図３は、制御リスト４０の内容を示した一例である。制御リスト４０は、例えばＸＭＬ（Ｅｘｔｅｎｓｉｂｌｅ  Ｍａｒｋｕｐ  Ｌａｎｇｕａｇｅ）に従った形式で記述されている。制御リスト４０には、各コンテンツのファイルの画像記録部１８内における存在位置を示すファイルパスと、コンテンツ作成日やタイトル等のそのコンテンツに関するメタデータが記述されている。制御リスト４０のファイルサイズは任意のサイズを取ることができる。なお、コンテンツに関するメタデータとは、そのコンテンツの作成日時、タイトル、シャッタースピード等の撮影条件及び撮影場所等の、コンテンツについての情報を記述したデータのことを称する。
【００１５】
ここで、ＣＰＵ１１、ＲＡＭ１４、ファイル管理部１７、画像記録部１８、圧縮伸長エンジン１９、撮像部２０及び制御リスト４０は、コンテンツ管理情報である制御リストを通じてコンテンツを記録する記録手段を構成するものである。また、ＣＰＵ１１、液晶表示部１５、ファイル管理部１７、画像記録部１８、圧縮伸長エンジン１９及び制御リスト４０は、制御リストを通じてコンテンツを再生する再生手段を構成するものである。また、ＣＰＵ１１、ファイル管理部１７、画像記録部１８及び制御リスト４０は、制御リスト更新手段を構成するものである。なお、記録手段、再生手段及び制御リスト更新手段の構成は、同等の機能を実施可能なものであれば、本実施形態に限られるものではないことは言うまでもない。
【００１６】
図２及び図３を元に、ＤＳＣ１０の再生時の動作を以下に説明する。ＤＳＣ１０は、まずＣＰＵ１１からの指示により、ファイル管理部１７を通して画像記録部１８内のｒｏｏｔディレクトリ直下に存在する制御リスト４０（ＩＮＤＥＸ．ＬＳＴ）を開く。制御リスト４０内には一ないし複数のコンテンツのファイルパスが記載されており、それらのファイルパスをもとに画像が開かれ、圧縮伸長エンジン１９により記録されているフォーマットに従い伸長される。伸長された画像データは、液晶表示部１５において表示され再生される。
【００１７】
図２及び図３を元に、ＤＳＣ１０の撮影時の動作を以下に説明する。撮影時には、圧縮伸長エンジン１９は、ＣＰＵ１１からの指示により撮像部２０から取り込まれたＲＡＭ１４内の撮像データをＣＰＵ１１が指定するフォーマットの画像へと圧縮する。圧縮された画像は、ＣＰＵ１１からの指示によりファイル管理部１７を通して画像記録部１８に記録される。さらに、ＣＰＵ１１は、画像記録部１８内のｒｏｏｔ直下に存在する制御リスト４０（ＩＮＤＥＸ．ＬＳＴ）を開き、制御リスト４０内の所定の位置に、静止画、動画等のコンテンツの種類、ファイルパス、その他メタデータなどを追加し、制御リスト４０を保存する。
【００１８】
図４は、本実施形態の外部記録再生装置３０の記録部３１及びそのフォルダ構成と制御リスト４２（第二の制御リスト）の内容を示したものである。図５は、情報処理装置の一例としてＤＳＣ１０の画像記録部１８及びそのフォルダ構成と制御リスト４１を示したものである。
【００１９】
ＤＳＣ１０ではＩＭＧ０００４．ＪＰＧという第一のコンテンツとしての画像に対し制御リスト４１の中で”エッフェル塔”というタイトルが与えられている。一方、外部記録再生装置３０にもＤＳＣ１０とファイル名及びファイルの内容が同一の第二のコンテンツとしての画像であるＩＭＧ０００４．ＪＰＧが存在する。しかし、外部記録再生装置３０のＩＭＧ０００４．ＪＰＧは制御リスト４２の中で”パリ”というタイトルが与えられている。
【００２０】
外部記録再生装置３０からの差分コピー指示により、ＲＯＭ１３あるいは画像記録部１８に格納されている差分コピー処理方法に従い、ＤＳＣ１０のＣＰＵ１１が差分コピー処理を行う。ここで述べている差分コピーとは、ＤＳＣ１０に保存されている制御リスト４１と、外部記録再生装置３０に保存されている制御リスト４２とを比較し、比較の結果、ＤＳＣ１０の制御リスト４１には記述されていない、つまりＤＳＣ１０内には存在せず、かつ外部記録再生装置３０内には存在するコンテンツのみをＤＳＣ１０へ一括でコピーするコピー方法である。なお、差分コピー指示は、ＤＳＣ１０から行われるものであってもよい。
【００２１】
以下に、差分コピー処理方法について説明する。図６及び図７は、外部記録再生装置３０からＤＳＣ１０への差分コピー処理を示したフローである。  
まず、ステップＳ１において、ＤＳＣ１０が外部記録再生装置３０と外部Ｉ／Ｆ１６を介して接続されているかどうかの判断を行う。接続が確立されていない場合は接続が行われるまで待機する。接続が確立されている場合はステップＳ２において、外部記録再生装置３０より差分コピー指示があるかを判断し、差分コピー指示がない場合は差分コピー指示を受けるまで待機する。
【００２２】
差分コピー指示がある場合はステップＳ３において、外部Ｉ／Ｆ１６を介して外部記録再生装置３０の記録部３１に記録されている制御リスト４２（ＩＮＤＥＸ．ＬＳＴ）を取得し、ＲＡＭ１４にて記憶する。ステップＳ４において、ステップＳ３でＲＡＭ１４に記憶した制御リスト４２内に記述されているそれぞれのコンテンツのファイルパスをＲＡＭ１４にて記憶する。ステップＳ５において、ステップＳ４でＲＡＭ１４に記憶したそれぞれのファイルパスを、ＤＳＣ１０の画像記録部１８に記録されている制御リスト４１（ＩＮＤＥＸ．ＬＳＴ）に記述されているファイルパスと比較する。
【００２３】
ステップＳ６において、その比較結果を検討し、記憶したファイルパスが制御リスト４１に記述されているファイルパスに一致しないならば、ステップＳ７において、一致しないファイルパスが示す外部記録再生装置３０内のコンテンツを外部Ｉ／Ｆ１６を介して取得し、画像記録部１８に記録する。また、ステップＳ８において、ステップＳ７で取得したコンテンツのメタデータを、ステップＳ３で記憶した制御リストから取得する。
【００２４】
ステップＳ９において、ＤＳＣ１０の制御リスト４１内の所定の位置に、ステップＳ７で取得したコンテンツについての、静止画、動画等のコンテンツの種類、ステップＳ４で記憶したファイルパス、ステップＳ８で記憶したメタデータなどコンテンツに関する情報を追記し、制御リスト４１の内容を更新する。ステップＳ１０において、ステップＳ４で記憶したファイルパスすべてについて比較が完了したかどうかを判断する。比較が完了していなければステップＳ５へ戻り、比較を続ける。比較が完了していれば差分コピーを終了する。ステップＳ１４において、制御リスト４１を保存し、差分コピー処理を完了する。
【００２５】
一方、ステップＳ６において、記憶したファイルパスが制御リスト４１に記述されているファイルパスに一致するならば、ステップＳ１１において、一致したファイルパスが示すコンテンツに付与されているメタデータを、ステップＳ３で記憶した制御リストから取得し、ＲＡＭ１４にて記憶する。ステップＳ１２において、ステップＳ１１で記憶したメタデータは、制御リスト４１内の一致したファイルパスが示すコンテンツに付与されているメタデータと一致するかどうか判断する。ステップＳ１２における判断において、比較結果が一致したならばステップＳ１０へ進み、一致しないならばステップＳ１３において、図８に示すメタデータ変更処理を行い、ステップＳ１０へ進む。
【００２６】
図８は、差分コピー処理中のメタデータ変更処理を示したフローである。ステップＳ７１において、図７のステップＳ１１で記憶したメタデータと、制御リスト４１内の所定のコンテンツに付与されているメタデータとを比較した際に、記憶したメタデータにのみ記述されていて制御リスト４１内の所定のコンテンツのメタデータには記述されていないようなジャンルを表すフィールドがあるかを判断する。ここでジャンルとは、タイトルや作成日などのメタデータの種類を表す。
【００２７】
ステップＳ７１における判断の結果、記憶したメタデータにのみ記述されているフィールドがあるならば、ステップＳ７２において、制御リスト４１内の所定の位置に、記憶したメタデータにのみ記述されているジャンルを表すフィールドとその値を記述する。一方、ステップＳ７１で記憶したメタデータにのみ記述されているフィールドがない場合、ステップＳ７３において、それぞれのメタデータのジャンルにおいて、記憶した制御リストと、制御リスト４１の間でそれぞれの値が異なるかどうかを判断する。
【００２８】
ステップＳ７３における判断の結果、記憶した制御リストと、制御リスト４１の間でそれぞれの値が異なるならば、ステップＳ７４において、図９に示す操作者指示入力処理を行う。
【００２９】
ここで、図９に、操作者指示入力処理のフローを示す。ステップＳ８０において、液晶表示部１５の所定の位置に、図１３に示すような、操作者へ指示の入力を促す操作者入力画面を表示する。
【００３０】
操作者入力画面は、現在コピー中であることを示す表示１３１と、コピー元とコピー先とでファイル名は同一であるが所定のジャンルのメタデータが異なるコンテンツが存在することを示す表示１３２と、該当するコンテンツのサムネイル（縮小画像）表示１３３と、コピー元とコピー先とで異なっているメタデータの値の表示１３４と、指示の選択肢を示す入力アイコン表示１３５とで構成される。
【００３１】
入力アイコン表示１３５は、択一的に選択可能な３つのアイコン１３５ａ、１３５ｂ及び１３５ｃにより構成されている。アイコン１３５ａ、１３５ｂ及び１３５ｃは、それぞれ、「コピー元のメタデータで上書きせよ」、「コピー元のメタデータで上書きしない」及び「両方のメタデータを使用する」の指示に対応するものである。液晶表示部１５の操作者入力画面において、操作者がアイコン１３５ａ、１３５ｂ及び１３５ｃのいずれか一つを選択する操作することにより、操作者からの入力指示がなされる。
【００３２】
次に、ステップＳ８１において、操作者からの入力指示があるかどうかの判断を行い、入力指示があるまで待機する。ステップＳ８１において、操作者からの入力指示があった場合、ステップ８２へ進み、操作者からの入力指示をＲＡＭ１４に記憶して操作者入力処理を終了する。
【００３３】
そして、ステップＳ７５において、ＲＡＭ１４に記憶された操作者からの入力指示が、コピー元のメタデータで上書きせよ、すなわち外部記録再生装置３０のメタデータで上書きせよと言う指示であるか否かを判断する。
【００３４】
ステップＳ７５における判断の結果、コピー元のメタデータで上書きせよとの指示が入力されていた場合、ステップＳ７６において、図１０に示すメタデータ上書き処理を行い、メタデータ変更処理を終了する。
【００３５】
一方、ステップＳ７３における判断の結果、記憶した制御リストと、制御リスト４１の間で値が同一である場合、何もせずにメタデータ変更処理を終了する。
【００３６】
また、ステップＳ７５での判断の結果、コピー元のメタデータで上書きしないと言う指示が入力されていた場合、ステップＳ７７において、操作者からの入力指示が、両方のメタデータを使用すると言う指示であるかどうかを判断する。
【００３７】
ステップＳ７７における判断の結果、両方のメタデータを使用すると言う指示が入力されていた場合、ステップＳ７８において、図１１に示すメタデータ併記処理を行い、メタデータ変更処理を終了する。一方、ステップＳ７７における判断の結果、両方のメタデータを使用すると言う指示がなされていない場合、何もせずにメタデータ変更処理を終了する。
【００３８】
図１０は、メタデータ上書き処理のフローである。ステップＳ９０において、記憶したメタデータの中から、操作者からの入力指示があるジャンルの値を取得する。次に、ステップＳ９１において、制御リスト４１内の一致したコンテンツのメタデータの中で、操作者からの入力指示があるジャンルの値を、ステップＳ９０で取得した値で上書きし、メタデータ上書き処理を終了する。
【００３９】
図１１は、メタデータ併記処理を示したフローである。ステップＳ３０において、ステップＳ１１で記憶したメタデータの中から、値が異なっていたジャンルと、その異なっていた値を取得し、ＲＡＭ１４にて記憶する。ステップＳ３１において、制御リスト４１について、一致したコンテンツのメタデータの中で、記憶したジャンルと同じジャンルを表すフィールドの値に、記憶した値を、所定の区切り文字を用いて先頭に挿入する。
【００４０】
以下に、本実施形態の作用を説明する。  
図１２は、図４及び図５の状態の外部記録再生装置３０及びＤＳＣ１０において、図６から図１１のフローに従って差分コピーを行った場合の結果を示す図である。
【００４１】
なお、以下の説明では、外部記録再生装置３０とＤＳＣ１０が接続が確立済み（ステップＳ１）であり、外部記録再生装置３０から差分コピー指示がある（ステップＳ２）ものとする。また、操作者からは、図９の操作者指示入力処理において、両方のメタデータを使用すると言う指示が入力されるものとする。
【００４２】
まず、ＤＳＣ１０は外部記録再生装置３０の制御リスト４２を、外部Ｉ／Ｆ１６を介して取得し、ＲＡＭ１４に記憶する（ステップＳ３）。
【００４３】
記憶した制御リスト４２の中に記述されているファイルパス、”ＤＣＩＭ／１００ＯＬＹＭＰ／ＩＭＧ０００１．ＪＰＧ”、”ＤＣＩＭ／１００ＯＬＹＭＰ／ＩＭＧ０００２．ＪＰＧ”、”ＤＣＩＭ／１００ＯＬＹＭＰ／ＩＭＧ０００３．ＪＰＧ”及び”ＤＣＩＭ／１００ＯＬＹＭＰ／ＩＭＧ０００４．ＪＰＧ”をＲＡＭ１４に記憶する（ステップＳ４）。
【００４４】
まず最初に、ファイルパス”ＤＣＩＭ／１００ＯＬＹＭＰ／ＩＭＧ０００１．ＪＰＧ”を、ＤＳＣ１０の制御リスト４１内に記述されているコンテンツのファイルパス、”ＤＣＩＭ／１００ＯＬＹＭＰ／ＩＭＧ０００２．ＪＰＧ”、”ＤＣＩＭ／１００ＯＬＹＭＰ／ＩＭＧ０００３．ＪＰＧ”及び”ＤＣＩＭ／１００ＯＬＹＭＰ／ＩＭＧ０００４．ＪＰＧ”と比較する（ステップＳ５）。
【００４５】
比較の結果、制御リスト４２内に記述されているファイルパス”ＤＣＩＭ／１００ＯＬＹＭＰ／ＩＭＧ０００１．ＪＰＧ”は制御リスト４１内に記述されているコンテンツのファイルパスに一致しない（ステップＳ６のＹｅｓ）。外部記録再生装置３０から、一致しないファイルパスが示すコンテンツＩＭＧ０００１．ＪＰＧを、外部Ｉ／Ｆ１６を介して取得し、画像記録部１８に記録する（ステップＳ７）。
【００４６】
記憶した制御リスト４２から、取得したＩＭＧ０００１．ＪＰＧについてのメタデータ＜ｔｉｔｌｅ＞水族館＜／ｔｉｔｌｅ＞を取得し（ステップＳ８）、制御リスト４１に、ファイルの種類（静止画＝Ｓｔｉｌｌ）、ファイルパス”ＤＣＩＭ／１００ＯＬＹＭＰ／ＩＭＧ０００１．ＪＰＧ”、メタデータ＜ｔｉｔｌｅ＞水族館＜／ｔｉｔｌｅ＞を追加する（ステップＳ９）。その結果は、図１２のＤＳＣ１０の制御リスト４３における記述５１になる。
【００４７】
続いて、記憶したファイルパスの中でまだ３つのファイルパスについて比較がされていないため（ステップＳ１０）、次の制御リスト４２内に記述されているファイルパス”ＤＣＩＭ／１００ＯＬＹＭＰ／ＩＭＧ０００２．ＪＰＧ”を、制御リスト４１内に記述されているファイルパスと比較すると（ステップＳ５）、一致するファイルパスが見つかる（ステップＳ６のＮｏ）。そこで、記憶した制御リスト４２の中からメタデータ＜ｔｉｔｌｅ＞花＜／ｔｉｔｌｅ＞を取得し、記憶する（ステップＳ１１）。記憶したメタデータは、制御リスト４１内の”ＤＣＩＭ／１００ＯＬＹＭＰ／ＩＭＧ０００２．ＪＰＧ”についてのメタデータ＜ｔｉｔｌｅ＞花＜／ｔｉｔｌｅ＞と一致する（ステップＳ１２のＹｅｓ）。
【００４８】
続いて、記憶したファイルパスの中でまだ２つのファイルパスについて比較がされていないため（ステップＳ１０）、次のファイルパス”ＤＣＩＭ／１００ＯＬＹＭＰ／ＩＭＧ０００３．ＪＰＧ”を、制御リスト４１内に記述されているファイルパスと比較すると（ステップＳ５）、一致するファイルパスが見つかる（ステップＳ６のＮｏ）。
【００４９】
ＩＭＧ０００３．ＪＰＧは、外部記録再生装置３０とＤＳＣ１０とで、そのファイル名が示すコンテンツの内容は異なるが、図６及び図７のフローに従い、ＤＳＣ１０はコンテンツを取得しない。そして、”ＤＣＩＭ／１００ＯＬＹＭＰ／ＩＭＧ０００３．ＪＰＧ”に関する記憶した制御リストのメタデータと制御リスト４１内のメタデータはどちらも＜ｔｉｔｌｅ＞誕生日＜／ｔｉｔｌｅ＞であり一致する（ステップＳ１１、Ｓ１２のＹｅｓ）。
【００５０】
続いて、記憶したファイルパスのうちの最後のファイルパス”ＤＣＩＭ／１００ＯＬＹＭＰ／ＩＭＧ０００４．ＪＰＧ”を制御リスト４１内に記述されているファイルパスと比較すると（ステップＳ５）、一致するファイルパスが見つかる（ステップＳ６のＮｏ）。”ＤＣＩＭ／１００ＯＬＹＭＰ／ＩＭＧ０００４．ＪＰＧ”についての制御リスト４２のメタデータは、＜ｔｉｔｌｅ＞パリ＜／ｔｉｔｌｅ＞であり、制御リスト４１のメタデータは、＜ｔｉｔｌｅ＞エッフェル塔＜／ｔｉｔｌｅ＞であるため、両者は一致しない（ステップＳ１１、Ｓ１２のＮｏ）。そこで、メタデータ変更処理を行う（ステップＳ１３）。
【００５１】
ここで、記憶したメタデータに記述されているのはジャンルであるタイトルを表すフィールド＜ｔｉｔｌｅ＞＜／ｔｉｔｌｅ＞であり、制御リスト４１の”ＤＣＩＭ／１００ＯＬＹＭＰ／ＩＭＧ０００４．ＪＰＧ”のメタデータについても記述されているのはジャンルであるタイトルを表す＜ｔｉｔｌｅ＞＜／ｔｉｔｌｅ＞である（ステップＳ７１のＮｏ）。それぞれのジャンルにおいてその値は、記憶した制御リスト４２では”パリ”、制御リスト４１では”エッフェル塔”と異なる（ステップＳ７３のＹｅｓ）。
【００５２】
そして、液晶表示部１５に図１３に示す操作者入力画面を表示し（ステップＳ８０）、操作者からの入力指示を待つ（ステップＳ８１）。操作者から「両方のメタデータを使用する」の入力指示があるので、その指示内容（両方のメタデータを使用）をＲＡＭ１４に記憶する（ステップＳ８２）。
【００５３】
操作者からの指示は両方のメタデータを使用すると言う指示であるので（ステップＳ７７のＹｅｓ）、次に、メタデータ併記処理を行う（ステップＳ７８）。記憶したメタデータのうち、値が異なるジャンルはタイトルのみであるため、その値パリを取得し、記憶する（ステップＳ３０）。
【００５４】
制御リスト４１について、ファイルパスが一致したコンテンツ”ＤＣＩＭ／１００ＯＬＹＭＰ／ＩＭＧ０００４．ＪＰＧ”のメタデータの中で、記憶したジャンルと同じジャンルであるタイトルを表すフィールド＜ｔｉｔｌｅ＞＜／ｔｉｔｌｅ＞の値に、区切り文字”，”を用いて先頭に挿入する（ステップＳ３１）。その結果、ＤＳＣ１０の制御リスト４３におけるタイトルを表すフィールド＜ｔｉｔｌｅ＞＜／ｔｉｔｌｅ＞の値は、図１２における記述５２のように、”パリ，エッフェル塔”となる。
【００５５】
これによりメタデータ併記処理を終了し、メタデータ変更処理を終了する。記憶した４つのファイルパスすべてについて比較が完了したため（ステップＳ１０のＹｅｓ）、制御リスト４１を保存し（ステップＳ１４）、差分コピーを終了する。
【００５６】
また、例えば上記の実施形態の作用の説明の中で、ステップＳ８２で操作者から受け、ＲＡＭ１４に記憶した指示が、コピー元のメタデータで上書きすると言う指示である場合について、以下に説明する。”ＤＣＩＭ／１００ＯＬＹＭＰ／ＩＭＧ０００４．ＪＰＧ”の操作者からの上書き指示（ステップＳ７４）までは、上記の説明と同一であるので、説明を省略する。操作者から上書き指示があるので、その指示（上書き指示）をＲＡＭ１４に記憶する（ステップＳ８２）。操作者からの指示は上書き指示であるので（ステップＳ７５）、記憶したメタデータの中からタイトルのジャンルの値パリを取得する（ステップＳ９０）。制御リスト４１内の”ＤＣＩＭ／１００ＯＬＹＭＰ／ＩＭＧ００００４．ＪＰＧ”のメタデータの中で、タイトルのジャンルの値エッフェル塔を、取得した値パリで上書きする（ステップＳ９１）。その結果は、図１４の制御リスト４６における記述５５になる。これによりメタデータ上書き処理を終了し、さらにメタデータ変更処理を終了する。これ以降の処理については上記の実施形態の作用での説明と同一であるので、説明を省略する。
【００５７】
以下に、本実施形態の効果を説明する。  
以上に説明したように、本実施形態の情報処理装置であるＤＳＣ１０は、外部記録再生装置３０からの指示に従い、コンテンツ管理情報である制御リスト４１及び４２の比較結果に基づいて、保有していないコンテンツを外部記録再生装置３０から取得し、制御リスト４２を更新する差分コピー手段と、外部記録再生装置３０の制御リスト４２に記述される第二のコンテンツに関するメタデータとＤＳＣ１０の制御リスト４１に記述される前記第二のコンテンツと同一の第一のコンテンツに関するメタデータとを、それぞれのジャンルごとに比較する比較手段と、メタデータ比較手段による結果に応じて液晶表示部１５に操作者入力画面を表示し操作者からのメタデータの処理に関する入力を受ける指示入力手段と、メタデータの変更を行うメタデータ変更手段と、を有するものである。
【００５８】
このような、構成を有することにより、本実施形態の情報処理装置であるＤＳＣ１０においては、外部記録再生装置３０との間で差分コピー処理を行う際に、コピー元の外部記録装置３０とコピー先のＤＳＣ１０の双方にファイル名及び内容が同一のコンテンツが存在し、かつそれぞれのコンテンツのメタデータが異なる場合には、操作者に対してメタデータの取り扱いをどうするかを問い合わせることが可能となる。すなわち、本実施形態においては、コピー先の制御リスト内のコンテンツのメタデータに関する処理についての指示が、かならず操作者から行われるため、コンテンツコピーの際に操作者の意図を反映することができるのである。したがって、本実施形態によれば、従来のように操作者が知らぬところでメタデータが上書きされたり、逆に操作者の意図に反してメタデータが上書きされてしまうことがない。
【００５９】
なお、本実施形態の各構成は、当然、各種の変形、変更が可能である。以下に、本実施形態の変形例を説明する。
【００６０】
ステップＳ２４のメタデータ併記処理の変形例を図１５に示す。本変形例においては、ステップＳ４０において、ステップＳ１１で記憶したメタデータの中から、値が異なっていたジャンルと、その異なっていた値を取得し、ＲＡＭ１４にて記憶する。ステップＳ４１において、制御リスト４１について、一致したコンテンツのメタデータの中で、記憶したジャンルを表すフィールドの前に、そのフィールドと値を挿入する。
【００６１】
次に、本変形例の作用を説明する。  
図１６は、図４及び５の状態の外部記録再生装置３０及びＤＳＣ１０において、図６から図１０、及び本変形例の図１５のフローに従って差分コピーを行った場合の結果を示す図である。”ＤＣＩＭ／１００ＯＬＹＭＰ／ＩＭＧ０００４．ＪＰＧ”について、記憶したメタデータのうち、値が異なるジャンルはタイトルのみであるため、その値”パリ”を取得し、記憶する（ステップＳ４０）。制御リスト４１について、ファイルパスが一致したコンテンツ”ＤＣＩＭ／１００ＯＬＹＭＰ／ＩＭＧ０００４．ＪＰＧ”のメタデータの中で、記憶したジャンルと同じジャンルであるタイトルを表すフィールド＜ｔｉｔｌｅ＞＜／ｔｉｔｌｅ＞の前に、そのフィールド＜ｔｉｔｌｅ＞＜／ｔｉｔｌｅ＞とその値”パリ”を挿入する（ステップＳ４１）。その結果は、図１６のＤＳＣ１０の制御リスト４４における記述５３になる。
【００６２】
次に、本実施形態の変形例の効果を説明する。  
以上に説明したように、本変形例の情報処理装置であるＤＳＣ１０は、ＤＳＣ１０と外部記録再生装置３０との双方に記録されている同じコンテンツに対してつけていた別々のメタデータを両方とも記録する場合に、それぞれのメタデータの種類を表すフィールドを列挙して記述し、それぞれのフィールドに対して一つのメタデータを値として記述するメタデータ列挙手段を有するものである。
【００６３】
このような構成を有することにより、本変形例の情報処理装置であるＤＳＣ１０においては、メタデータを併記する場合において、制御リスト４２内において各メタデータの値が一つの要素として記述される。したがって、本変形例によれば、制御リストの解析が容易となり、操作者は容易に制御リストを扱うことが可能となる。
【００６４】
さらに、本実施形態の別の変形例について以下に説明する。  
図１７は、ステップＳ２４のメタデータ併記処理の別の変形例を示すフローチャートである。ステップＳ５０において、ステップＳ１１で記憶したメタデータの中から、値が異なっていたジャンルと、その異なっていた値、及びそのジャンルのバックアップとして記述されている内容を取得し、ＲＡＭ１４にて記憶する。
【００６５】
ステップＳ５１において、制御リスト４１について、一致したコンテンツのメタデータの中で、記憶したジャンルを表すフィールドの最後に、バックアップを示すフィールドを追記する。ステップＳ５２において、ステップＳ５１で追記したバックアップを示すフィールド内に、記憶したジャンルと同じジャンルを表すフィールドと、そのフィールドに記述されている値、及びそのジャンルのバックアップとして記述されている内容を挿入する。
【００６６】
ステップＳ５３において、記憶したジャンルと同じジャンルを表すフィールドの値を、記憶した値で書き換える。ステップＳ５４において、ステップＳ５０で記憶したバックアップを、記憶したジャンルと同じジャンルを表すフィールドの次に挿入する。
【００６７】
次に、本実施形態の別の変形例の作用を説明する。  
図１８は、図４及び５の状態の外部記録再生装置３０及びＤＳＣ１０において、図６から図１０、及び本変形例の図１７のフローに従って差分コピーを行った場合の結果を示す図である。”ＤＣＩＭ／１００ＯＬＹＭＰ／ＩＭＧ０００４．ＪＰＧ”について、記憶したメタデータのうち、値が異なるジャンルはタイトルのみであるため、その値”パリ”を取得し、記憶する（ステップＳ５０）。なお、タイトルのバックアップは存在しないので記憶しない。
【００６８】
制御リスト４１について、ファイルパスが一致したコンテンツ”ＤＣＩＭ／１００ＯＬＹＭＰ／ＩＭＧ０００４．ＪＰＧ”のメタデータの中で、バックアップを示すフィールド＜ｂａｃｋｕｐ＞＜／ｂａｃｋｕｐ＞を最後に追記する（ステップＳ５１）。バックアップを示すフィールド内に、記憶したジャンルであるタイトルと同じジャンルを表すフィールドと、そのフィールドに記述されている値”エッフェル塔”、つまり＜ｔｉｔｌｅ＞エッフェル塔＜／ｔｉｔｌｅ＞を挿入する（ステップＳ５２）。
【００６９】
なお、タイトルのバックアップは存在しないので挿入しない。記憶したジャンルであるタイトルと同じジャンルを表すフィールドは、記憶した値パリで書き換える（ステップＳ５３）。記憶したバックアップは存在しないので、挿入しない（ステップＳ５４）。その結果は、図１８のＤＳＣ１０の制御リスト４５における記述５４になる。
【００７０】
次に、本実施形態の別の変形例の効果を説明する。  
以上に説明したように、本変形例の情報処理装置であるＤＳＣ１０は、ＤＳＣ１０と外部記録再生装置３０との双方に記録されている同じコンテンツに対してつけていた別々のメタデータを両方とも記録する場合に、ＤＳＣ１０の制御リスト４１内の第一のコンテンツに関するメタデータを、制御リスト４１内にバックアップとして記述し、制御リスト４１内の第一のコンテンツに関するメタデータを、外部記録再生装置３０の制御リスト４２内の第二のコンテンツに関するメタデータに置換して記述するメタデータバックアップ化手段を有するものである。
【００７１】
このような構成を有することにより、本変形例の情報処理装置であるＤＳＣ１０においては、メタデータを併記する場合において、最新のメタデータ以外を、最新のメタデータと同じ位置づけではなく、バックアップという位置づけで取り扱うことが可能となる。したがって本変形例によれば、メタデータの変更の履歴を容易に確認することができ、メタデータの以前の状態に戻す復旧処理などが可能となる。
【００７２】
以下に、本実施形態のさらに別の変形例を説明する。  
図１９は、ステップＳ２４のメタデータ併記処理のさらに別の変形例を示すフローチャートである。ステップＳ６０において、ステップＳ１１で記憶したメタデータの中から、作成日時あるいは変更日時以外で値が異なっていたジャンルと、その異なっていた値を取得し、ＲＡＭ１４にて記憶する。ステップＳ６１において、記憶したメタデータの中から、コンテンツの作成日時あるいは変更日時を表すフィールドの値を取得し、ＲＡＭ１４にて記憶する。
【００７３】
ステップＳ６２において、ステップＳ６１で記憶した作成日時あるいは変更日時は、制御リスト４１内の一致したコンテンツのメタデータに記述されている作成日時あるいは変更日時よりも新しいかどうかを判断する。判断の結果、記憶した作成日時あるいは変更日時のほうが新しい場合、ステップＳ６３において、制御リスト４１について、一致したコンテンツのメタデータの中で、記憶したジャンルと同じジャンルを表すフィールドの値に、記憶した値を、所定の区切り文字を用いてフィールド内の先頭に挿入する。ステップＳ６２の判断の結果、制御リスト４１内の一致したコンテンツのメタデータに記述されている作成日時あるいは変更日時のほうが新しい場合、ステップＳ６４において、制御リスト４１について、一致したコンテンツのメタデータの中で、記憶したジャンルと同じジャンルを表すフィールドに、記憶した値を、所定の区切り文字を用いてフィールド内の末尾に挿入する。
【００７４】
ステップＳ６３、Ｓ６４の終了後、ステップＳ６５において、制御リスト４１内の一致したメタデータに、変更日時を表すフィールドが記述されているかどうかを判断する。判断の結果、変更日時を表すフィールドが記述されている場合、ステップＳ６６において、制御リスト４１内の一致したコンテンツのメタデータに記述されている変更日時の値を、現在の日時で書き換え、メタデータ変更処理を終了する。ステップＳ６５の判断の結果、変更日時を表すフィールドが記述されていない場合、ステップＳ６７において、制御リスト４１内の一致したコンテンツのメタデータに、変更日時を表すフィールドを記述する。ステップＳ６８において、ステップＳ６７で記述した変更日時を表すフィールドに、現在の日時を挿入し、メタデータ併記処理を終了する。
【００７５】
次に、本実施形態のさらに別の変形例の作用を説明する。  
図２０は、外部記録再生装置３０の記録部３１に記録された制御リスト６０の例であり、図２１はＤＳＣ１０の画像記録部１８に記録された制御リスト６１の例である。どちらの制御リストも、”ＤＣＩＭ／１００ＯＬＹＭＰ／ＩＭＧ０００４．ＪＰＧ”というコンテンツについて記述しているが、制御リスト６０ではそのコンテンツのタイトルは”パリ”、変更日時は＜ｍｏｄｉｆｉｅｄ＞＜／ｍｏｄｉｆｉｅｄ＞というフィールドに記述されており、その変更日時は”２００６−０２−１３”となっている。一方制御リスト６１ではタイトルは”エッフェル塔”、変更日時は”２００６−０３−０１”となっている。
【００７６】
図２２は、図２０及び２１の状態で、図１９のフローに従った場合の結果を示す図である。”ＤＣＩＭ／１００ＯＬＹＭＰ／ＩＭＧ０００４．ＪＰＧ”について、記憶したメタデータのうち、作成日時あるいは変更日時以外で値が異なるジャンルはタイトルのみであるため、その値”パリ”を取得し、記憶する（ステップＳ６０）。
【００７７】
記憶したメタデータのうち、作成日時あるいは変更日時は、変更日時が＜ｍｏｄｉｆｉｅｄ＞＜／ｍｏｄｉｆｉｅｄ＞フィールドにより表され、その値は”２００６−０２−１３（つまり２００６年２月１３日）”となっているので、この値を取得し、ＲＡＭ１４に記憶する（ステップＳ６１）。
【００７８】
制御リスト６１内の一致したコンテンツのメタデータに記述されている作成日時あるいは変更日時は”２００６−０３−０１（つまり２００６年３月１日）”であるため（ステップＳ６２）、制御リスト６１について、”ＤＣＩＭ／１００ＯＬＹＭＰ／ＩＭＧ０００４．ＪＰＧ”のメタデータの中で、タイトルを表すフィールド＜ｔｉｔｌｅ＞＜／ｔｉｔｌｅ＞に、記憶した値”パリ”を、区切り文字”，”を用いて末尾に挿入する（ステップＳ６４）。
【００７９】
制御リスト６１について、”ＤＣＩＭ／１００ＯＬＹＭＰ／ＩＭＧ０００４．ＪＰＧ”のメタデータに変更日時を表すフィールド＜ｍｏｄｉｆｉｅｄ＞＜／ｍｏｄｉｆｉｅｄ＞が記述されているので（ステップＳ６５）、制御リスト６１の”ＤＣＩＭ／１００ＯＬＹＭＰ／ＩＭＧ０００４．ＪＰＧ”の変更日時に記述されている値”２００６−０３−０１”を、現在の日時（例えば２００６月４月２７日であれば、”２００６−０４−２７”）で書き換え（ステップＳ６６）、メタデータ併記処理を終了する。その結果は、図２２のＤＳＣ１０の制御リスト６２における記述になる。
【００８０】
次に、本実施形態のさらに別の変形例の効果を説明する。  
以上に説明したように、本変形例の情報処理装置であるＤＳＣ１０は、ＤＳＣ１０と外部記録再生装置３０との双方に記録されている同じコンテンツに対してつけていた別々のメタデータを両方とも記録する場合に、それぞれのコンテンツについて記述されている作成日時あるいは更新日時を表すメタデータから取得した日時情報に基づいて、併記するメタデータを降順あるいは昇順で記述する構成を有する。
【００８１】
このような構成を有することにより、本変形例の情報処理装置であるＤＳＣ１０においては、メタデータを併記する場合において、日付順にメタデータが並ぶため、メタデータが表示される場合においては、操作者は、メタデータを容易に把握し、目的のメタデータを見つけることが可能となる。
【００８２】
なお、上述の実施形態で説明した情報処理装置はデジタルスチルカメラに限らず、携帯電話、ＰＤＡ、パーソナルコンピューター、ゲーム機、デジタルビデオカメラ、デジタル音楽プレーヤー、プリンタ、ＤＶＤなどの光ディスクレコーダー、テレビ、双眼鏡、フォトストレージなど、デジタルコンテンツを記録し、再生することができる装置とすることができる。またデジタルコンテンツは静止画に限らず、動画、音楽、文書、図面、ゲームのセーブデータ、音楽や動画などのプレイリスト、住所録など様々な変形が可能である。また制御リストの記述形式でＸＭＬと呼ばれる構造を用いて上記の実施形態を説明したが、コンテンツのファイルパスとそのメタデータを表すことができる構造を持つ記述形式であれば、制御リストの記述形式はＸＭＬに限らない。
【００８３】
また、本発明は、上述した実施形態に限られるものではなく、特許請求の範囲及び明細書全体から読み取れる発明の要旨或いは思想に反しない範囲で適宜変更可能であり、そのような変更を伴う情報処理装置、情報処理方法及びプログラムもまた本発明の技術的範囲に含まれるものである。
【図面の簡単な説明】
【００８４】
【図１】実施形態に係るデジタルスチルカメラ（ＤＳＣ）の概略構成を示す説明図である。
【図２】ＤＳＣの画像記録部に格納されたコンテンツ及び制御リストからなるフォルダ構成の例を示す説明図である。
【図３】制御リストの内容の一例を示した図である。
【図４】外部記録再生装置の記録部及びそのフォルダ構成と制御リストの内容を示した説明図である。
【図５】ＤＳＣの画像記録部及びそのフォルダ構成と制御リストの内容を示した説明図である。
【図６】外部記録再生装置からＤＳＣへの差分コピー処理のフローチャートである。
【図７】外部記録再生装置からＤＳＣへの差分コピー処理のフローチャートである。
【図８】差分コピー処理中のメタデータ変更処理のフローチャートである。
【図９】操作者指示入力処理のフローチャートである。
【図１０】メタデータ上書き処理のフローチャートである。
【図１１】メタデータ併記処理のフローチャートである。
【図１２】差分コピー処理を実施した後のＤＳＣの画像記録部及びフォルダ構成と制御リストの内容を示した説明図である。
【図１３】操作者入力画面を示す図である。
【図１４】操作者からコピー元のメタデータで上書きする指示があった場合の差分コピー処理後のＤＳＣの画像記録部及びフォルダ構成と制御リストの内容を示した説明図である。
【図１５】メタデータ併記処理の変形例を示すフローチャートである。
【図１６】メタデータ併記処理の変形例を用いて差分コピー処理を実施した後のＤＳＣの画像記録部及びフォルダ構成と制御リストの内容を示した説明図である。
【図１７】メタデータ併記処理の別の変形例を示すフローチャートである。
【図１８】メタデータ併記処理の別の変形例を用いて差分コピー処理を実施した後のＤＳＣの画像記録部及びフォルダ構成と制御リストの内容を示した説明図である。
【図１９】メタデータ併記処理のさらに別の変形例を示すフローチャートである。
【図２０】外部記録再生装置の記録部に記録された制御リストを示す図である。
【図２１】ＤＳＣの画像記録部に記録された制御リストを示す図である。
【図２２】メタデータ併記処理のさらに別の変形例を実施した後のＤＳＣの制御リストを示す図である。
【符号の説明】
【００８５】
１０  ＤＳＣ、  １１  ＣＰＵ、  １２  操作部、  １３  ＲＯＭ、  １４  ＲＡＭ、  １５  液晶表示部、  １６  外部Ｉ／Ｆ、  １７  ファイル管理部、  １８  画像記録部、  １９  圧縮伸長エンジン、  ２０  撮像部
【図１】
2009098733.tif 000003
【図２】
2009098733.tif 000004
【図３】
2009098733.tif 000005
【図４】
2009098733.tif 000006
【図５】
2009098733.tif 000007
【図６】
2009098733.tif 000008
【図７】
2009098733.tif 000009
【図８】
2009098733.tif 000010
【図９】
2009098733.tif 000011
【図１０】
2009098733.tif 000012
【図１１】
2009098733.tif 000013
【図１２】
2009098733.tif 000014
【図１３】
2009098733.tif 000015
【図１４】
2009098733.tif 000016
【図１５】
2009098733.tif 000017
【図１６】
2009098733.tif 000018
【図１７】
2009098733.tif 000019
【図１８】
2009098733.tif 000020
【図１９】
2009098733.tif 000021
【図２０】
2009098733.tif 000022
【図２１】
2009098733.tif 000023
【図２２】
2009098733.tif 000024